(57)【要約】【課題】同期分離回路において、回路に入力される複合映像信号に偽水平同期信号が含まれている場合でも、この偽水平同期信号を水平同期信号と誤検知してしまうことを防いで、この誤検知に起因する画像乱れの発生を防ぐ。【解決手段】同期分離回路７に入力される複合映像信号Ｖｉに偽水平同期信号が含まれているため、コンパレータＣＭＰ１から出力された水平同期信号の中に、偽水平同期信号が混在している場合に、マイコン１５は、混在している偽水平同期信号の数に応じて、可変抵抗器ＶＲの抵抗値を大きな値に切り換える。これにより、フィルタ部２２の時定数を大きい方向に切り換えて、偽水平同期信号を含む複合映像信号の波形をなまらせ、水平同期信号よりも時間幅の狭いパルスである偽水平同期信号の下端部の電位が、コンパレータＣＭＰ１により水平同期信号として分離される基準となる基準電圧ＶＢ２を上回るようにする。【選択図】図２
2012222657.tif 000002
【特許請求の範囲】
【請求項１】
映像信号、垂直同期信号及び水平同期信号を含む複合映像信号を受信して、受信した複合映像信号に含まれる垂直同期信号及び水平同期信号の下端部における信号電圧のレベルを、所定のレベルに調整する同期信号レベル調整手段と、
前記同期信号レベル調整手段による調整後の複合映像信号から、前記垂直同期信号及び水平同期信号よりも時間幅の狭いノイズを除去するローパスフィルタと、
前記ローパスフィルタによるノイズ除去後の複合映像信号の電圧レベルに基づいて、この調整後の複合映像信号から、所定の閾値を下回る電位のパルスである垂直同期信号及び水平同期信号を分離して出力する同期信号分離手段とを備えた同期分離回路において、
前記同期信号分離手段から出力された垂直同期信号及び水平同期信号に基づいて、本来の水平同期信号よりも時間幅が狭いが、その下端部が本来の水平同期信号と近似した電位のパルスである偽水平同期信号が、前記同期信号分離手段から出力された水平同期信号の中に混在しているか否かを判定する偽水平同期信号有無判定手段と、
前記偽水平同期信号有無判定手段によって、偽水平同期信号が混在していると判定されたときに、前記ローパスフィルタの時定数を大きい方向に切り換える時定数切換手段とをさらに備えたことを特徴とする同期分離回路。
【請求項２】
前記偽水平同期信号有無判定手段は、
前記同期信号分離手段から出力された垂直同期信号と水平同期信号とを判別する垂直水平判別手段と、
前記垂直水平判別手段による判別結果に基づいて、２つの垂直同期信号に挟まれた水平同期信号の数をカウントするカウント手段とを有し、
前記カウント手段によりカウントされた水平同期信号の数が、所定の数よりも多いときに、前記偽水平同期信号が混在していると判定することを特徴とする請求項１に記載の同期分離回路。
【請求項３】
前記時定数切換手段は、前記同期分離回路を有する装置の起動時、又は前記同期分離回路への前記複合映像信号の入力元が切り換えられたときに、前記ローパスフィルタの時定数を、切り換え可能な時定数の中で一番小さい値の時定数に設定することを特徴とする請求項１又は請求項２に記載の同期分離回路。
【請求項４】
前記時定数切換手段は、前記ローパスフィルタの抵抗値を切り換えることにより、前記ローパスフィルタの時定数を切り換えることを特徴とする請求項１乃至請求項３のいずれか一項に記載の同期分離回路。
【請求項５】
前記請求項１乃至請求項４のいずれか一項に記載の同期分離回路を有するテレビジョン受像機。
【発明の詳細な説明】
【技術分野】
【０００１】
本発明は、映像信号、垂直同期信号及び水平同期信号を含む複合映像信号を受信して、受信した複合映像信号から、垂直同期信号及び水平同期信号を分離して出力する同期分離回路に関する。
【背景技術】
【０００２】
従来から、テレビジョン受像機等の映像表示機器の分野において、入力された（受信した）複合映像信号から、垂直同期信号及び水平同期信号を分離（抽出）して出力する同期分離回路が知られている。
【０００３】
図７は、従来の同期分離回路の例を示す。同期分離回路１０７は、主に、同期信号レベル調整部１２１と、フィルタ部１２２と、コンパレータＣＭＰ１０８とから構成されている。同期信号レベル調整部１２１は、映像検波回路（図１参照）から入力される複合映像信号Ｖｉを受信して、受信した複合映像信号Ｖｉにおける水平・垂直同期信号の先端部分の電位を、基準電圧ＶＢ１に揃える。
【０００４】
上記の同期信号レベル調整部１２１は、カップリング・コンデンサＣ１０１と、抵抗Ｒ１０２と、オペアンプＯＰ１０３と、ダイオードＤ１０４とから構成されている。上記の映像検波回路から入力された複合映像信号Ｖｉは、カップリング・コンデンサＣ１０１で直流成分を除去された後、ペデスタル・レベルよりも電位の低い水平・垂直同期信号の先端部分（図３中のＳＹＴＯＰ２参照）において、オペアンプＯＰ１０３の−側入力端子に、負の電圧（以下、初期負電圧という）を印加する。この水平・垂直同期信号の先端部分の電圧（初期負電圧）は、オペアンプＯＰ１０３の＋側入力端子に印加される基準電圧ＶＢ１よりも低いので、オペアンプＯＰ１０３からの出力電圧ＶＤは、正の電圧となり、ダイオードＤ１０４を介して、図中の点Ｄ→点Ｅ→点Ｃの方向に電流が流れる。つまり、水平・垂直同期信号の先端部分では、オペアンプＯＰ１０３の出力端子からダイオードＤ１０４に順方向電圧が印加されるので、オペアンプＯＰ１０３の出力端子からオペアンプＯＰ１０３の−側入力端子に負帰還がかかる。従って、オペアンプＯＰ１０３の−側入力端子は、＋側入力端子とイマジナリー・ショートした状態になるので、−側入力端子の電位は、＋側入力端子の電位（基準電圧ＶＢ１）とほぼ同電位になる。
【０００５】
また、複合映像信号Ｖｉにおける水平・垂直同期信号の先端部分では、上記の点Ｄ→点Ｅ→点Ｃの方向に流れる電流により、カップリング・コンデンサＣ１０１が、図に示される極性に急速に充電されて、上記の初期負電圧と基準電圧ＶＢ１との差分に相当する電圧を生成する。カップリング・コンデンサＣ１０１に蓄積された電荷は、複合映像信号Ｖｉにおける映像信号の部分（ペデスタル・レベルよりも電位の高い部分（図３中のＶＳＩＧ２参照））では、図に示される矢印Ｂの向きに電流が流れることにより徐々に放電されるが、カップリング・コンデンサＣ１０１と抵抗Ｒ１０２との時定数ＣＲを大きな時定数にすることにより、放電のスピードが遅くなるように設定されている。このため、次の水平・垂直同期信号が入力されるまで、カップリング・コンデンサＣ１０１の電位が、上記の充電終了直後の電位に近い電圧に維持されるので、次の水平・垂直同期信号が入力されると、オペアンプＯＰ１０３の−側入力端子の電位が、即座にオペアンプＯＰ１０３の＋側入力端子の電位（基準電圧ＶＢ１）に復帰する。このようにして、同期信号レベル調整部１２１による水平・垂直同期信号の先端部分の電位を揃える処理が行われる。
【０００６】
上記の複合映像信号Ｖｉは、映像信号の部分（図３中のＶＳＩＧ２参照）では、オペアンプＯＰ１０３の−側入力端子に、正の電圧を印加する。この正の電圧は、オペアンプＯＰ１０３の＋側入力端子に印加される基準電圧ＶＢ１よりも高いので、オペアンプＯＰ１０３からの出力電圧ＶＤは、負の電圧となり、ダイオードＤ１０４に逆方向電圧が印加される。従って、複合映像信号Ｖｉにおける映像信号の部分では、図中の点Ｄから点Ｅの方向に向けて電流が流れず、点Ｅにおける電位ＶＥは、点Ｃにおける電位ＶＣ（オペアンプＯＰ１０３の−側入力端子に印加される電圧）と等しくなる。
【０００７】
上記のフィルタ部１２２は、抵抗Ｒ１０５とコンデンサＣ１０６とから構成されるローパスフィルタであり、同期信号レベル調整部１２１によるレベル調整後の複合映像信号ＶＥから、高周波成分のノイズを除去する。コンパレータＣＭＰ１０８は、−側入力端子に上記の基準電圧ＶＢ１（水平・垂直同期信号の先端部分の電位）よりも少し高い電位の基準電圧ＶＢ２が印加されており、この基準電圧ＶＢ２と、上記のフィルタ部１２２によるノイズ除去後の複合映像信号ＶＦにおける電圧とを比較することにより、ノイズ除去後の複合映像信号ＶＦにおける水平・垂直同期信号（図３中のＨＳＹＮＣ２参照）を分離（抽出）して、出力端子ＯＴから水平・垂直同期信号ＶＯとして出力する。
【０００８】
ところで、垂直同期分離回路の分野において、テレビジョン電波が弱電界時の場合にも正確に同期信号を分離できるようにするために、テレビジョン電波のノイズレベルに応じて、フィルタの重みを変化させて、同期信号の先端部分における信号のレベル（最小値レベル）を安定化させるようにしたものが知られている（特許文献１参照）。また、垂直同期分離回路の分野において、入力された映像信号の電界検出を行い、弱電界時における可変低域フィルタの通過帯域を狭くすることで、積分動作の誤動作を防ぎ、安定した垂直同期信号の分離ができるようにしたものが知られている（特許文献２参照）。
【０００９】
さらにまた、フレーム巡回型フィルタ回路を使用する映像劣化検出回路において、入力映像信号から取り出された同期信号の乱れの量を検出し、その乱れの量に基づいて、フレーム巡回型フィルタ係数を制御するようにしたものが知られている（特許文献３参照）。また、画像を投射するプロジェクタの分野において、表示条件に応じて、フィルタ部の周波数特性を制御することにより、表示条件の異なる種々の画像信号に対して、量子化ノイズによる画質劣化を抑制するようにしたものが知られている（特許文献４参照）。
【先行技術文献】
【特許文献】
【００１０】
【特許文献１】特開２００５−５１６７６号公報
【特許文献２】特開平８−３３１４１７号公報
【特許文献３】特開２００１−３０９２０５号公報
【特許文献４】特開２００２−２２９５４８号公報
【発明の概要】
【発明が解決しようとする課題】
【００１１】
しかしながら、図７に示される従来の同期分離回路には、以下のような問題がある。すなわち、図７に示される同期分離回路が搭載される液晶テレビジョン受像機等の映像表示機器は、通常、解像度変換用の（ビデオ）スケーラを有しているため、様々な種類の映像信号を表示することができる。けれども、パソコンからの文字（画像の）信号がＡＶアンプ経由（セレクタ経由）で映像表示機器に入力された場合等において、ビデオイコライザ等により画像のエッジ部分（画像周波数が高い部分）が強調されることにより、図８に示されるように、複合映像信号Ｖｉにおける映像信号の部分に、ペデスタル・レベルを大きく下回る部分（図８中のＦＨＳＹＮＣ１）（以下、偽水平同期信号と言う）が生じる場合がある。このとき、図７に示される従来の同期分離回路は、上記の偽水平同期信号ＦＨＳＹＮＣ１が、本来の水平同期信号よりも時間幅が狭いパルスであるにも拘らず、この偽水平同期信号ＦＨＳＹＮＣ１を、本来の水平同期信号と誤検知してしまう。このため、従来の同期分離回路を搭載した映像表示機器は、水平同期系のＰＬＬ（Ｐｈａｓｅ  Ｌｏｃｋｅｄ  Ｌｏｏｐ）が乱されて、図９に示されるように、画像の水平方向の引きつり１３２等の画像乱れが発生することがある。なお、図９に表示されている画像は、文字Ｉの画像１３１である。
【００１２】
上記の特許文献１及び２の発明は、垂直同期分離回路に関する発明であるため、上記の偽水平同期信号ＦＨＳＹＮＣ１を本来の水平同期信号と誤検知してしまうことに起因する画像乱れの発生の問題を解消することはできない。また、特許文献３の発明も、フレーム巡回型フィルタ回路を使用する映像劣化検出回路に関する発明であるため、上記の一般的な同期分離回路における水平同期信号の誤検知の問題を解消することはできない。さらにまた、特許文献４の発明も、プロジェクタの分野において、表示条件の異なる種々の画像信号に対して、量子化ノイズによる画質劣化を抑制することを目的としたものであるため、上記の偽水平同期信号ＦＨＳＹＮＣ１を本来の水平同期信号と誤検知してしまうことに起因する画像乱れの発生の問題を解消することはできない。
【００１３】
本発明は、上記課題を解決するものであり、回路に入力される複合映像信号における映像信号の部分に、本来の水平同期信号よりも時間幅が狭いが、本来の水平同期信号と同様に、その下端部がペデスタル・レベルを下回る電位のパルスである偽水平同期信号が含まれている場合でも、この偽水平同期信号を水平同期信号と誤検知してしまうことを防いで、この誤検知に起因する画像乱れの発生を防ぐことが可能な同期分離回路、及びこの同期分離回路を有するテレビジョン受像機を提供することを目的とする。
【課題を解決するための手段】
【００１４】
上記課題を解決するために、請求項１の発明は、映像信号、垂直同期信号及び水平同期信号を含む複合映像信号を受信して、受信した複合映像信号に含まれる垂直同期信号及び水平同期信号の下端部における信号電圧のレベルを、所定のレベルに調整する同期信号レベル調整手段と、前記同期信号レベル調整手段による調整後の複合映像信号から、前記垂直同期信号及び水平同期信号よりも時間幅の狭いノイズを除去するローパスフィルタと、前記ローパスフィルタによるノイズ除去後の複合映像信号の電圧レベルに基づいて、この調整後の複合映像信号から、所定の閾値を下回る電位のパルスである垂直同期信号及び水平同期信号を分離して出力する同期信号分離手段とを備えた同期分離回路において、前記同期信号分離手段から出力された垂直同期信号及び水平同期信号に基づいて、本来の水平同期信号よりも時間幅が狭いが、その下端部が本来の水平同期信号と近似した電位のパルスである偽水平同期信号が、前記同期信号分離手段から出力された水平同期信号の中に混在しているか否かを判定する偽水平同期信号有無判定手段と、前記偽水平同期信号有無判定手段によって、偽水平同期信号が混在していると判定されたときに、前記ローパスフィルタの時定数を大きい方向に切り換える時定数切換手段とをさらに備えたものである。
【００１５】
請求項２の発明は、請求項１に記載の同期分離回路において、前記偽水平同期信号有無判定手段は、前記同期信号分離手段から出力された垂直同期信号と水平同期信号とを判別する垂直水平判別手段と、前記垂直水平判別手段による判別結果に基づいて、２つの垂直同期信号に挟まれた水平同期信号の数をカウントするカウント手段とを有し、前記カウント手段によりカウントされた水平同期信号の数が、所定の数よりも多いときに、前記偽水平同期信号が混在していると判定するものである。
【００１６】
請求項３の発明は、請求項１又は請求項２に記載の同期分離回路において、前記時定数切換手段は、前記同期分離回路を有する装置の起動時、又は前記同期分離回路への前記複合映像信号の入力元が切り換えられたときに、前記ローパスフィルタの時定数を、切り換え可能な時定数の中で一番小さい値の時定数に設定するものである。
【００１７】
請求項４の発明は、請求項１乃至請求項３のいずれか一項に記載の同期分離回路において、前記時定数切換手段は、前記ローパスフィルタの抵抗値を切り換えることにより、前記ローパスフィルタの時定数を切り換えるものである。
【００１８】
請求項５の発明は、請求項１乃至請求項４のいずれか一項に記載の同期分離回路を有するテレビジョン受像機である。
【発明の効果】
【００１９】
請求項１の発明によれば、同期分離回路に入力される（同期分離回路が受信した）複合映像信号における映像信号の部分に偽水平同期信号が含まれているため、同期信号分離手段から出力された水平同期信号の中に、偽水平同期信号が混在している場合に、ローパスフィルタの時定数を大きい方向に切り換えて、偽水平同期信号を含む複合映像信号の波形をなまらせ、水平同期信号よりも時間幅の狭いパルスである偽水平同期信号の下端部の電位が、同期信号分離手段により水平同期信号として分離される基準となる所定の閾値を上回るようにすることができる。これにより、同期分離回路に入力される複合映像信号における映像信号の部分に、偽水平同期信号が含まれている場合でも、同期信号分離手段が、上記の偽水平同期信号を誤って水平同期信号として分離してしまうこと（水平同期信号の誤検知）を防いで、この誤検知に起因する画像乱れの発生を防ぐことができる。
【００２０】
また、請求項２の発明によれば、２つの垂直同期信号に挟まれた水平同期信号の数をカウントして、カウントされた水平同期信号の数が所定の数よりも多いときに、偽水平同期信号が混在していると判定する。ここで、２つの垂直同期信号に挟まれた水平同期信号の数は、所定の数に決まっているので、上記の判定方法により、同期信号分離手段から出力された水平同期信号の中に、偽水平同期信号が混在しているか否かを正確に判定することができる。
【００２１】
また、請求項３の発明によれば、同期分離回路を有する装置の起動時、又は同期分離回路への複合映像信号の入力元が切り換えられたときに、ローパスフィルタの時定数を、切り換え可能な時定数の中で一番小さい値の時定数に設定するようにした。これにより、同期分離回路に入力される（同期分離回路が受信した）複合映像信号における映像信号の部分に偽水平同期信号が含まれていない場合に、ローパスフィルタが、信号遅延の少ない（切り換え可能な時定数の中で時定数が一番小さい）状態に設定されるので、ローパスフィルタによって複合映像信号における同期信号の部分の波形がなまり、水平同期信号の検知が遅れることに起因する画像の歪み（画像に縦線があった場合における縦線の歪み等）を抑制することができる。
【００２２】
また、請求項４の発明によれば、上記に記載の効果を的確に得ることができる。
【００２３】
また、請求項５の発明によれば、同期分離回路を有するテレビジョン受像機において、上記請求項１乃至請求項４の発明と同様の効果を得ることができる。
【図面の簡単な説明】
【００２４】
【図１】本発明の一実施形態に係る同期分離回路を有するＴＶ受像機の電気的ブロック構成図。
【図２】上記同期分離回路の回路構成図。
【図３】上段、中段、下段は、それぞれ、上記同期分離回路に入力される複合映像信号に偽水平同期信号が含まれていない場合の、入力端子における複合映像信号Ｖｉと、点Ｃ（又は点Ｆ）における複合映像信号ＶＣ（又はＶＦ）と、出力端子における水平・垂直同期信号ＶＯを示す図。
【図４】上段、中段、下段は、それぞれ、上記同期分離回路に入力される複合映像信号に偽水平同期信号が含まれている場合であって、ＴＶ受像機の起動時等における、入力端子の複合映像信号Ｖｉと、点Ｆの複合映像信号ＶＦと、出力端子の水平・垂直同期信号ＶＯを示す図。
【図５】上記水平・垂直同期信号ＶＯに含まれる、２つの垂直同期信号と、これらの垂直同期信号に挟まれた水平同期信号とみなされる信号を示す図。
【図６】上段、中段、下段は、それぞれ、上記同期分離回路に入力される複合映像信号に偽水平同期信号が含まれている場合であって、マイコンがフィルタ部の時定数を大きな値に切り換えた後における、入力端子の複合映像信号Ｖｉと、点Ｆの複合映像信号ＶＦと、出力端子の水平・垂直同期信号ＶＯを示す図。
【図７】従来例の同期分離回路の回路構成図。
【図８】従来例の同期分離回路に入力される偽水平同期信号を示す図。
【図９】従来例の同期分離回路を有する映像表示機器に表示される、画像の水平方向の引きつりを示す図。
【発明を実施するための形態】
【００２５】
以下、本発明の一実施形態について、図面を参照して説明する。本実施形態では、本発明の同期分離回路が、テレビジョン受像機（以下、ＴＶ受像機という）に搭載された同期分離回路である場合の例について説明する。
【００２６】
図１は、本実施形態による同期分離回路が搭載されたＴＶ受像機１の概略の電気的ブロック構成を示す。このＴＶ受像機１は、チューナ２と、中間周波増幅回路３と、映像検波回路４と、映像信号処理回路５と、液晶モジュール６と、同期分離回路７と、垂直同期分離回路８と、水平同期分離回路９と、音声信号処理回路１３と、スピーカ１４と、装置全体の制御を行うマイコン１５（偽水平同期信号有無判定手段、時定数切換手段、垂直水平判別手段、カウント手段）とを備えている。
【００２７】
チューナ２は、アンテナ２０を介して受信したテレビジョン放送信号を増幅した後、ユーザ所望の受信チャンネルのテレビジョン放送信号を取り出して、中間周波数の信号に周波数変換する。中間周波増幅回路３は、チューナ２から送られた信号を増幅すると共に、チューナ２にＡＧＣ（自動利得制御）信号を送って、チューナ２による信号増幅の利得を制御する。映像検波回路４は、中間周波増幅回路３より送られた中間周波数の信号（搬送波信号＋被搬送波信号）から、被搬送波信号（映像信号、垂直同期信号及び水平同期信号を含む複合映像信号）を取り出して出力する。映像信号処理回路５は、映像検波回路４により取り出された複合映像信号に対して各種の画像処理を行うと共に、この複合映像信号に含まれる映像信号を、液晶モジュール６に対応したディジタル映像信号に変換して出力する。液晶モジュール６は、映像信号処理回路５から出力されたディジタル映像信号と、垂直同期分離回路８から出力された垂直同期信号と、水平同期分離回路９から出力された水平同期信号に基づいて、映像を表示する。
【００２８】
同期分離回路７は、映像検波回路４から、映像信号、垂直同期信号及び水平同期信号を含む複合映像信号を受信して、受信した複合映像信号から、所定の閾値を下回る電位のパルスである垂直同期信号及び水平同期信号を分離して出力する。垂直同期分離回路８は、大きな時定数を有するローパスフィルタを有しており、同期分離回路７から受信した垂直同期信号及び水平同期信号の波形を、上記のローパスフィルタでなまらせた上でコンパレータに入力することより、垂直同期信号のみを取り出す。水平同期分離回路９は、ハイパスフィルタを有しており、このハイパスフィルタにより、同期分離回路７から受信した垂直同期信号及び水平同期信号の中から、（垂直同期信号よりも周波数の高い）水平同期信号のみを取り出す。
【００２９】
上記の液晶モジュール６は、タイミングコントローラ１０と、液晶ドライバ１１と、液晶パネル１２とを有している。タイミングコントローラ１０は、映像信号処理回路５から出力されたディジタル映像信号と、垂直同期分離回路８から出力された垂直同期信号と、水平同期分離回路９から出力された水平同期信号とを受信して、これらの信号に基づき、タイミング映像信号と、液晶ドライバ１１の駆動用の同期信号とを出力する。液晶ドライバ１１は、上記のタイミング映像信号と同期信号とに基づいて液晶駆動信号を出力する。液晶パネル１２は、液晶ドライバ１１から液晶駆動信号を受信して、この液晶駆動信号に基づき映像を表示する。
【００３０】
音声信号処理回路１３は、中間周波増幅回路３より送られた中間周波数の信号を検波して音声信号を取り出し、この音声信号に対して増幅処理を含む各種の処理を行った後、これらの処理後の音声信号をスピーカ１４の駆動信号として出力する。スピーカ１４は、音声信号処理回路１３からの音声信号に基づく音声を出力する。
【００３１】
次に、図２を参照して、上記の同期分離回路７の回路構成と動作について説明する。同期分離回路７は、主に、同期信号レベル調整部２１（請求項における同期信号レベル調整手段）と、フィルタ部２２（請求項におけるローパスフィルタ）と、コンパレータＣＭＰ１（請求項における同期信号分離手段）とから構成される。ただし、請求項における同期分離回路には、マイコン１５（の一部の機能（請求項における偽水平同期信号有無判定手段、時定数切換手段、垂直水平判別手段、及びカウント手段としての機能））が含まれている。同期信号レベル調整部２１は、映像検波回路４（図１参照）から入力される複合映像信号Ｖｉを受信して、受信した複合映像信号Ｖｉに含まれる垂直同期信号及び水平同期信号の下端部（先端部）における信号電圧のレベル（電位）を、基準電圧ＶＢ１に揃える（調整する）。
【００３２】
上記の同期信号レベル調整部２１は、カップリング・コンデンサＣ１と、抵抗Ｒ１と、オペアンプＯＰ１と、ダイオードＤ１とから構成されている。上記の映像検波回路４から入力された複合映像信号Ｖｉは、カップリング・コンデンサＣ１で直流成分を除去された後、ペデスタル・レベルよりも電位の低い水平・垂直同期信号の先端（下端）部分（図３中のＳＹＴＯＰ２参照）において、オペアンプＯＰ１の−側入力端子に、負の電圧（以下、初期負電圧という）を印加する。この水平・垂直同期信号の先端部分の電圧（初期負電圧）は、オペアンプＯＰ１の＋側入力端子に印加される基準電圧ＶＢ１よりも低いので、オペアンプＯＰ１からの出力電圧ＶＤは、正の電圧となり、ダイオードＤ１を介して、図中の点Ｄ→点Ｅ→点Ｃの方向に電流が流れる。つまり、水平・垂直同期信号の先端部分では、オペアンプＯＰ１の出力端子からダイオードＤ１に順方向電圧が印加されるので、オペアンプＯＰ１の出力端子からオペアンプＯＰ１の−側入力端子に負帰還がかかる。従って、オペアンプＯＰ１の−側入力端子は、＋側入力端子とイマジナリー・ショートした状態になるので、オペアンプＯＰ１の−側入力端子の電位は、＋側入力端子の電位（基準電圧ＶＢ１）とほぼ同電位になる。
【００３３】
また、複合映像信号Ｖｉにおける水平・垂直同期信号の先端（下端）部分（図３中のＳＹＴＯＰ２参照）では、上記の点Ｄ→点Ｅ→点Ｃの方向に流れる電流により、カップリング・コンデンサＣ１が、図に示される極性に急速に充電されて、上記の初期負電圧と基準電圧ＶＢ１との差分に相当する電圧を生成する。カップリング・コンデンサＣ１に蓄積された電荷は、複合映像信号Ｖｉにおける映像信号の部分（ペデスタル・レベルよりも電位の高い部分（図３中のＶＳＩＧ２参照））では、図２に示される矢印Ｂの向きに電流が流れることにより徐々に放電するが、カップリング・コンデンサＣ１と抵抗Ｒ１との時定数ＣＲを大きな時定数にすることにより、（カップリング・コンデンサＣ１に蓄積された電荷の）放電のスピードが遅くなるように設定されている。このため、次の水平・垂直同期信号が入力されるまで、カップリング・コンデンサＣ１の電位が、上記の充電終了直後の電位に近い電圧に維持されるので、次の水平・垂直同期信号が入力されると、オペアンプＯＰ１の−側入力端子の電位が、即座にオペアンプＯＰ１の＋側入力端子の電位（基準電圧ＶＢ１）に復帰する。このようにして、同期信号レベル調整部２１による水平・垂直同期信号の先端部分の電位を揃える（クリップする）処理が行われる。
【００３４】
上記の複合映像信号Ｖｉは、映像信号の部分（図３中のＶＳＩＧ２）では、オペアンプＯＰ１の−側入力端子に、正の電圧を印加する。この正の電圧は、オペアンプＯＰ１の＋側入力端子に印加される基準電圧ＶＢ１よりも高いので、オペアンプＯＰ１からの出力電圧ＶＤは、負の電圧となり、ダイオードＤ１に逆方向電圧が印加される。従って、複合映像信号Ｖｉにおける映像信号の部分では、図中の点Ｄから点Ｅの方向に向けて電流が流れず、点Ｅにおける電位ＶＥは、点Ｃにおける電位ＶＣ（オペアンプＯＰ１の−側入力端子に印加される電圧）と等しくなる。
【００３５】
上記の同期分離回路７におけるフィルタ部２２は、抵抗Ｒ２と可変抵抗器ＶＲとコンデンサＣ２とから構成されるローパスフィルタであり、複合映像信号ＶＥ（又はＶＣ、ＶＦ）から、高周波成分のノイズ（垂直同期信号及び水平同期信号よりも時間幅の狭いノイズ（パルス））を除去する。コンパレータＣＭＰ１は、−側入力端子に上記の基準電圧ＶＢ１（水平・垂直同期信号の先端部分の電位）よりも少し高い電位の基準電圧ＶＢ２が印加されており、この基準電圧ＶＢ２と、上記のフィルタ部２２によるノイズ除去後の複合映像信号ＶＦにおける電圧とを比較することにより、ノイズ除去後の複合映像信号ＶＦにおける水平・垂直同期信号（図３中のＨＳＹＮＣ２参照）を分離（抽出）して、出力端子ＯＴから水平・垂直同期信号ＶＯとして出力する。
【００３６】
上記のコンパレータＣＭＰ１により分離（抽出）された水平・垂直同期信号ＶＯは、マイコン１５にも送られる。マイコン１５は、コンパレータＣＭＰ１から出力された水平・垂直同期信号ＶＯに基づいて、本来の水平同期信号（図４の下段に示されるＨＳＹＮＣ３）よりも時間幅が狭いが、その下端部が本来の水平同期信号ＨＳＹＮＣ３と近似した電位のパルスである偽水平同期信号（図４の下段に示されるＦＨＳＹＮＣ３）が、水平・垂直同期信号ＶＯに含まれる水平同期信号の中に混在しているか否かを判定する。そして、偽水平同期信号が混在していると判定したときに、可変抵抗器ＶＲの抵抗値を大きな値に切り換えることにより、ローパスフィルタであるフィルタ部２２の時定数τ（ＲＣ）を大きい方向に切り換える。
【００３７】
具体的には、マイコン１５は、同期分離回路７を有するＴＶ受像機１の起動時、又は同期分離回路７への複合映像信号Ｖｉの入力元が（チューナ２又は不図示の外部機器に）切り換えられたときに、可変抵抗器ＶＲの抵抗値を一番小さな値に切り換えることにより、フィルタ部２２の時定数を、切り換え可能な時定数の中で一番小さい値の時定数に設定する。そして、マイコン１５は、コンパレータＣＭＰ１から出力された水平・垂直同期信号ＶＯにおける垂直同期信号と水平同期信号とを判別し（切り分け）、この判別結果に基づいて、図５に示されるような、２つの垂直同期信号ＶＳＹＮＣに挟まれた水平同期信号（とみなされる信号）（ＨＳＹＮＣ３及びＦＨＳＹＮＣ３）の数（一画面内の水平同期信号の数）をカウントする。この結果、カウントされた水平同期信号の数が、所定の数よりも多いときは、マイコン１５は、図４の下段に示されるように、水平・垂直同期信号ＶＯに含まれる水平同期信号（とみなされる信号）（ＨＳＹＮＣ３及びＦＨＳＹＮＣ３）の中に偽水平同期信号ＦＨＳＹＮＣ３が混在していると判定する。そして、マイコン１５は、可変抵抗器ＶＲに制御用の信号を送って、可変抵抗器ＶＲの抵抗値を大きな値に切り換えることにより、ローパスフィルタであるフィルタ部２２の時定数τ（ＲＣ）を大きい方向に切り換える。このとき、マイコン１５は、混在している偽水平同期信号ＦＨＳＹＮＣ３の数が多ければ多いほど、可変抵抗器ＶＲの抵抗値を大きな値に切り換えて、上記のフィルタ部２２の時定数τ（ＲＣ）を大きくする。
【００３８】
図３は、同期分離回路７に入力される複合映像信号Ｖｉに偽水平同期信号（図４におけるＦＨＳＹＮＣ１に相当)が含まれていない場合の、入力端子ＩＴにおける複合映像信号Ｖｉ（上段）、点Ｃ（又は点Ｆ）における複合映像信号ＶＣ（又はＶＦ）（中段）、及び出力端子ＯＴにおける水平・垂直同期信号ＶＯ（下段）を示す。この場合には、図中の中段に示される複合映像信号ＶＣ（又はＶＦ）における水平同期信号ＨＳＹＮＣ２の先端部分ＳＹＴＯＰ２の電位（基準電圧ＶＢ１）が、コンパレータＣＭＰ１による水平・垂直同期信号の分離の閾値である基準電圧ＶＢ２を下回るので、複合映像信号ＶＦに含まれる本来の水平同期信号ＨＳＹＮＣ２に対応した水平同期信号ＨＳＹＮＣ３のみが、コンパレータＣＭＰ１から出力される。図中の下段に示される＋ＥＳと−ＥＳとは、それぞれコンパレータＣＭＰ１の＋側飽和出力電圧と−側飽和出力電圧とを示す。なお、上記の例では、コンパレータＣＭＰ１による水平・垂直同期信号の分離の閾値である基準電圧ＶＢ２を、水平同期信号ＨＳＹＮＣ２の先端部分ＳＹＴＯＰ２の電位（基準電圧ＶＢ１）よりも少し高い電位に設定した場合の例を示したが、コンパレータＣＭＰ１による水平・垂直同期信号の分離の閾値の電位は、これに限られず、複合映像信号ＶＦにおけるペデスタル・レベル２と基準電圧ＶＢ１との間の電位であればよい。
【００３９】
また、図４は、同期分離回路７に入力される複合映像信号Ｖｉに偽水平同期信号（図中の上段におけるＦＨＳＹＮＣ１)が含まれている場合であって、ＴＶ受像機１の起動時又は複合映像信号Ｖｉの入力元が切り換えられた直後（可変抵抗器ＶＲの抵抗値を一番小さな値に設定している時）における、入力端子ＩＴの複合映像信号Ｖｉ（上段）、点Ｆの複合映像信号ＶＦ（中段）、及び出力端子ＯＴの水平・垂直同期信号ＶＯ（下段）を示す。図中の上段に示される偽水平同期信号ＦＨＳＹＮＣ１は、本来の水平同期信号ＨＳＹＮＣ１よりも時間幅が狭いが、本来の水平同期信号ＨＳＹＮＣ１と同様に、その下端部がペデスタル・レベル１を下回る電位のパルスである。入力端子ＩＴに入力される複合映像信号Ｖｉに含まれる偽水平同期信号ＦＨＳＹＮＣ１は、図２中の同期信号レベル調整部２１の働きにより、図４中の中段に示されるように、その先端部分の電位が、ほぼ基準電圧ＶＢ１に揃えられる。
【００４０】
図４に示される複合映像信号Ｖｉが同期分離回路７に入力された場合には、図中の中段に示される複合映像信号ＶＦにおいて、水平同期信号ＨＳＹＮＣ２の先端部分ＳＹＴＯＰ２の電位だけではなく、偽水平同期信号ＦＨＳＹＮＣ２の先端部分ＦＳＹＴＯＰ２の電位も、コンパレータＣＭＰ１による水平・垂直同期信号の分離の閾値である基準電圧ＶＢ２を下回るので、図中の下段に示されるように、コンパレータＣＭＰ１から（出力端子ＯＴから）、本来の水平同期信号ＨＳＹＮＣ３だけではなく、偽水平同期信号ＦＨＳＹＮＣ３も、水平・垂直同期信号ＶＯの一部として出力される。
【００４１】
これに対して、図６は、同期分離回路７に入力される複合映像信号Ｖｉに偽水平同期信号ＦＨＳＹＮＣ１が含まれている場合であって、マイコン１５がフィルタ部２２の時定数を（可変抵抗器ＶＲの抵抗値を）大きな値に切り換えた後における、入力端子ＩＴの複合映像信号Ｖｉ（上段）、点Ｆの複合映像信号ＶＦ（中段）、及び出力端子ＯＴの水平・垂直同期信号ＶＯ（下段）を示す。図中の上段に示される偽水平同期信号ＦＨＳＹＮＣ１は、本来の水平同期信号ＨＳＹＮＣ１よりも時間幅が狭いので、ローパスフィルタであるフィルタ部２２の時定数τ（ＲＣ）を大きい方向に切り換えた（可変抵抗器ＶＲの抵抗値を大きな値に切り換えた）ことにより、偽水平同期信号ＦＨＳＹＮＣ１の波形をなまらせて、コンパレータＣＭＰ１の＋側入力端子に入力される複合映像信号ＶＦにおける偽水平同期信号ＦＨＳＹＮＣ２の下端部の電位が、コンパレータＣＭＰ１による水平・垂直同期信号の分離の閾値である基準電圧ＶＢ２を上回るようにすることができる。従って、図中の下段に示されるように、複合映像信号ＶＦに含まれる本来の水平同期信号ＨＳＹＮＣ２に対応した水平同期信号ＨＳＹＮＣ３のみが、コンパレータＣＭＰ１から出力される。
【００４２】
上記のように、本実施形態の同期分離回路７を有するＴＶ受像機１によれば、同期分離回路７に入力される（同期分離回路７が受信した）複合映像信号Ｖｉにおける映像信号ＶＳＩＧ１の部分に偽水平同期信号ＦＨＳＹＮＣ１が含まれているため、コンパレータＣＭＰ１から出力された水平同期信号ＨＳＹＮＣ３の中に、偽水平同期信号ＦＨＳＹＮＣ３が混在している場合に、ローパスフィルタであるフィルタ部２２の時定数を大きい方向に切り換えて、偽水平同期信号ＦＨＳＹＮＣ２を含む複合映像信号ＶＳＩＧ２の波形をなまらせて、水平同期信号ＨＳＹＮＣ２よりも時間幅の狭いパルスである偽水平同期信号ＦＨＳＹＮＣ２の下端部の電位が、コンパレータＣＭＰ１により水平同期信号として分離される基準となる基準電圧ＶＢ２を上回るようにすることができる。これにより、同期分離回路７に入力される複合映像信号Ｖｉにおける映像信号ＶＳＩＧ１の部分に、本来の水平同期信号ＨＳＹＮＣ１よりも時間幅が狭いが、本来の水平同期信号ＨＳＹＮＣ１と同様に、その下端部がペデスタル・レベル１を下回る電位のパルスである偽水平同期信号ＦＨＳＹＮＣ１が含まれている場合でも、コンパレータＣＭＰ１が、上記の偽水平同期信号を誤って水平同期信号ＨＳＹＮＣ３として分離してしまうこと（水平同期信号の誤検知）を防いで、この誤検知に起因する画像乱れの発生を防ぐことができる。
【００４３】
また、本実施形態の同期分離回路７を有するＴＶ受像機１によれば、マイコン１５が、２つの垂直同期信号ＶＳＹＮＣに挟まれた水平同期信号ＨＳＹＮＣ３（及び偽水平同期信号ＦＨＳＹＮＣ３）の数をカウントして（図５参照）、カウントされた水平同期信号ＨＳＹＮＣ３（及び偽水平同期信号ＦＨＳＹＮＣ３）の数が所定の数よりも多いときに、偽水平同期信号ＦＨＳＹＮＣ３が混在していると判定する。ここで、２つの垂直同期信号ＶＳＹＮＣに挟まれた本来の水平同期信号ＨＳＹＮＣ３の数は、所定の数に決まっているので、上記の判定方法により、コンパレータＣＭＰ１から出力された水平同期信号ＨＳＹＮＣ３の中に、偽水平同期信号ＦＨＳＹＮＣ３が混在しているか否かを正確に判定することができる。
【００４４】
また、本実施形態の同期分離回路７を有するＴＶ受像機１によれば、ＴＶ受像機１の起動時、又は同期分離回路７への複合映像信号Ｖｉの入力元が切り換えられたときに、マイコン１５が、ローパスフィルタであるフィルタ部２２の時定数τ（ＲＣ）を、切り換え可能な時定数の中で一番小さい値の時定数に設定するようにした。これにより、同期分離回路７に入力される（同期分離回路７が受信した）複合映像信号Ｖｉにおける映像信号ＶＳＩＧ１の部分に偽水平同期信号ＦＨＳＹＮＣ１が含まれていない場合に、フィルタ部２２が、信号遅延の少ない（切り換え可能な時定数の中で時定数が一番小さい）状態に設定されるので、フィルタ部２２によって複合映像信号における同期信号の部分の波形がなまり、水平同期信号の検知が遅れることに起因する画像の歪み（画像に縦線があった場合における縦線の歪み等）を抑制することができる。
【００４５】
なお、本発明は、上記実施形態の構成に限られず、発明の趣旨を変更しない範囲で種々の変形が可能である。例えば、上記実施形態では、本発明を液晶テレビジョン受像機の同期分離回路に適用した場合の例を示したが、本発明の同期分離回路が搭載される装置は、これに限られず、例えば、プラズマディスプレイや有機ＥＬディスプレイを用いたテレビジョン受像機であってもよいし、外部装置から複合映像信号を入力される種々のタイプの映像表示機器であってもよい。また、上記の実施形態では、ローパスフィルタであるフィルタ部２２が、抵抗Ｒ２と可変抵抗器ＶＲとコンデンサＣ２とから構成される場合の例を示したが、フィルタ部は、オペアンプを用いたローパスフィルタであってもよいし、ディジタルフィルタであってもよい。さらにまた、上記実施形態では、垂直同期信号と水平同期信号とを判別する垂直水平判別手段が、マイコン１５である場合の例を示したが、本発明の垂直水平判別手段として、同期分離回路から出力された水平・垂直同期信号を垂直同期信号と水平同期信号とに分離するための回路（図１中の垂直同期分離回路８及び水平同期分離回路９に相当）を、本来の用途と兼用して用いてもよい。
【符号の説明】
【００４６】
１    ＴＶ受像機
７    同期分離回路
１５  マイコン（偽水平同期信号有無判定手段、時定数切換手段、垂直水平判別手段、カウント手段）
２１  同期信号レベル調整部（同期信号レベル調整手段）
２２  フィルタ部（ローパスフィルタ）
ＣＭＰ１  コンパレータ（同期信号分離手段）
【図１】
2012222657.tif 000003
【図２】
2012222657.tif 000004
【図３】
2012222657.tif 000005
【図４】
2012222657.tif 000006
【図５】
2012222657.tif 000007
【図６】
2012222657.tif 000008
【図７】
2012222657.tif 000009
【図８】
2012222657.tif 000010
【図９】
2012222657.tif 000011